(57)【特許請求の範囲】
【請求項１】
ベース部材と、
該ベース部材を覆うと共に、避雷素子のアース用リード線をねじ止めしてアース接続するためのねじ孔が設けられたカバー部材と、
前記ベース部材に設けられて、対の通信線における内線側および外線側の各通信線に接続される接続部材とを備え、かつ、
前記接続部材が、内線側および外線側の各通信線との接続端子をなすターミナル部と、該ターミナル部と連続して一体構成されると共に、避雷素子や非直線抵抗素子のリード線が接続されるスリット端子とを備え、
外線側と内線側との各通信線に接続された前記接続部材のスリット端子には、これら内線側と外線側との各通信線間に前記非直線抵抗素子を接続するために当該直線抵抗素子のリード線が直接挿入して挟み込まれるＵ字溝が設けられ、外線側の各通信線に接続された前記接続部材のスリット端子には、当該外線側の通信線間に前記避雷素子を接続するために当該避雷素子のリード線が直接挿入して挟み込まれるＵ字溝が設けられてなる保安回路を有する保安器ユニット。
【発明の詳細な説明】
【０００１】
【発明の属する技術分野】
本発明は、電話機その他の通信機器を異常サージから保護するための保安器ユニットに関する。
【０００２】
【従来の技術】
この種の保安器ユニットとしては、ベース部材に装着されるプリント配線板が実用化されている。プリント配線板には、直接半田付けされた保安回路が実装されている。
【０００３】
従来、保安器回路を構成する避雷素子や非直線抵抗素子のプリント配線板への実装は、次の順に行っていた。
▲１▼プリント配線板の外層あるいは内層に保安回路の配線を形成させるための設計を行う。
▲２▼保安回路を構成する各素子のリード線をプリント配線板の実装孔へ挿入する。
▲３▼各素子のリード線と実装孔と保安回路の配線とを半田付けする。
▲４▼フラックス残渣を取り除くために、プリント配線板全体を有機溶剤や洗剤等で洗浄する。
【０００４】
一方、スリット端子は、略Ｕ字状の形状を呈するものである。通常、スリット端子は、通信線をＵ字溝方向へねじ込ませながら挿通させるために使用されていた。
【０００５】
【発明が解決しようとする課題】
しかし、上記保安器構造によれば、ソルダリング技術を要し、▲１▼〜▲４▼のように完成時までに多工程が必要となるばかりでなく、コストもかかる。
【０００６】
また、保安器ユニットは工場等で大量生産されるため、少量生産に対応することは難しかった。
【０００７】
さらに、半田には鉛が含有されている場合があり、環境問題を引き起こす原因となる。
【０００８】
一方、スリット端子においては、通信線を挿通させ接続させるという使用以外に用途はなく、保安器の省スペース化が図り難いという欠点があった。
【０００９】
本発明は、このような事情に対処してなされたもので、プリント配線板を使用することなく保安回路を構成できる保安器ユニットを提供することを目的とする。
【００１０】
また、スリット端子の使用用途を考慮し、省スペース化を図ることのできる保安器ユニットを提供することを目的とする。
【００１１】
【課題を解決するための手段】
上述の課題を考慮して、本発明は以下のような手段を採用する。
【００２４】
すなわち、請求項１では、ベース部材と、該ベース部材を覆うと共に、避雷素子のアース用リード線をねじ止めしてアース接続するためのねじ孔が設けられたカバー部材と、ベース部材に設けられて、対の通信線における内線側および外線側の各通信線に接続される接続部材とを備え、かつ、接続部材が、内線側および外線側の各通信線との接続端子をなすターミナル部と、該ターミナル部と連続して一体構成されると共に、避雷素子や非直線抵抗素子のリード線が接続されるスリット端子とを備え、外線側と内線側との各通信線に接続された接続部材のスリット端子には、これら内線側と外線側との各通信線間に非直線抵抗素子を接続するために当該直線抵抗素子のリード線が直接挿入して挟み込まれるＵ字溝が設けられ、外線側の各通信線に接続された接続部材のスリット端子には、当該外線側の通信線間に避雷素子を接続するために当該避雷素子のリード線が直接挿入して挟み込まれるＵ字溝が設けられてなる保安回路を有する。
【００２５】
この手段では、保安器ユニットの保安回路が完成されると同時にアース接続される。部品点数の減少が図れる。
【００２６】
【発明の実施の形態】
図面図１〜図１１に基づき、本発明にかかる保安器ユニットの一実施例を説明する。
【００２７】
本発明の保安器ユニット４０は、対の内線側通信線５０および対の外線側通信線６０に接続される接続部材４７、４８が対の通信線５０、６０ごとにベース部材４５に備えられ、接続部材４７、４８は、対の通信線５０、６０のターミナル部４７０、４８０と、ターミナル部４７０、４８０に連続したスリット端子４７１、４８１、４８２とから一体構成され、ターミナル部４７０、４８０は対の内線側通信線５０および対の外線側通信線６０に配置されると同時に、スリット端子４７１、４８１、４８２は通信線間および通信線上に対向するよう配置され、非直線抵抗素子４２および避雷素子４３のリード線４２１、４２２、４３１、４３２がスリット端子４７１、４８１、４８２に挟み込まれて保安回路Ｐが構成されているものである。
【００２８】
また、保安器ユニット４０は、通信線上に対向配置されたスリット端子４７１、４８１、４８２の上部にスペーサ４４が設けられている。
【００２９】
さらに、保安器ユニット４０は、アース接続されるための取付台４５０が設けられ、上記接続部材４７、４８が着脱自在に設けられたベース部材４５と、ベース部材４５を覆うカバー部材４６とが備えられて、保安回路Ｐが内蔵されてなる構成である。
【００３０】
接続部材４７、４８は、対の通信線５０、６０ごとに設けられており、非直線抵抗素子４２および避雷素子４３のリード線４２１、４２２、４３１と接続し、保安回路Ｐを構成するための部材である。実施の形態では、対の内線側の接続部材４７と、対の外線側の接続部材４８とから構成され、４個の独立した接続部材４７、４８から構成されている。また、対の内線側および外線側の接続部材４７、４８は、対の通信線５０、６０のターミナル部４７０、４８０と、ターミナル部４７０、４８０から連続し一体に設けられたスリット端子４７１、４８１、４８２とから構成されている。
【００３１】
ターミナル部４７０、４８０は、対の内線側通信線５０および対の外線側通信線６０に対向するよう設けられ、これら対の通信線５０、６０が各々接続される。ターミナル部４７０、４８０は、例えば、略コ字形を呈するものが用いられる。ターミナル部４７０、４８０の上面４７０１、４８０１中央には、ねじ穴４７０２、４８０２が設けられている。
【００３２】
対の内線側の接続部材４７のスリット端子４７１は、例えばターミナル部４７０の一方側面４７０３から延設され、連続して一体構成されている。
【００３３】
また、対の内線側の接続部材４７のスリット端子４７１は、例えばＵ字溝４７１０を呈するものが用いられ、水平方向に設けられている。
【００３４】
同様に、対の外線側の接続部材４８のスリット端子４８１、４８２も、ターミナル部４８０の一方側面４８０３から延設され、連続して一体構成され、Ｕ字溝４８１０、４８２０を呈するものである。さらに、対の外線側の接続部材４８には、例えば、スリット端子４８１、４８２が各々２つずつ設けられている。
【００３５】
対の外線側の接続部材４８の一方のスリット端子４８１は、水平方向に設けられており、他方のスリット端子４８２は、上部へ垂設されている。
【００３６】
対の内線側のスリット端子４７１と、対の外線側のスリット端子４８１とが、対向されるよう配置され、この上部にスペーサ４４が設けられている。
【００３７】
スペーサ４４は、対向配置されたスリット端子４７１、４８１の移動を防止するために設けられたものであり、例えば、トレイ形を呈するものである。また、スペーサ４４の外周近傍には挿通孔４４０が四方配置されている。実施の形態では、非直線抵抗素子４２のリード線４２１、４２２間が挿通されるだけの間隔を有し挿通孔４４０が配置されている。スペーサ４４は、非直線抵抗素子４２の固定機能も有する。
【００３８】
さらに、スペーサ４４の中央両側には、受穴４４５が設けられ、スペーサ４４の外側両端には、係合突部４４６が設けられている。
【００３９】
非直線抵抗素子４２は、電気抵抗率の正温度特性をもつ素子であり、例えばＰＴＣ（Positive temperature coefficient）素子４２０を用いる。
【００４０】
避雷素子４３は、異常な過電圧を抑圧し機器等の破壊を防止する素子であり、例えば、三極のガス入り放電管形避雷器４３０を用いる。三極のガス入り放電管形避雷器４３０は、フェールセーフ機能を有する短絡板４３４が装着され、端部電極４３３とは絶縁フィルム４３５で離間されている。
【００４１】
ベース部材４５は、略中央に設けられた取付台４５０と、上記接続部材４７、４８を案内する案内溝４５１と、接続部材４７、４８の移動を防止するためのストッパー４５２および対向配置されたスリット端子４７１、４８１の移動を防止するためにＨ状に形成された防止壁４５３と、ベース部材４５外周両端に連設され、スペーサ４４を狭持する突片４５４と、スペーサ４４と嵌合するために併設された突起４５５とから構成されている。なお、突片４５４にはスペーサ４４の係合突部４４６と係合されるための係合穴部４５６が設けられている。上記構造により、接続部材４７、４８はベース部材４５に着脱自在に設けられるとともに、スペーサ４４はベース部材４５から着脱可能に設けられる。
【００４２】
取付台４５０は、三極のガス入り放電管形避雷器４３０の中央リード線４３２がアース接続されるために設けられたものであり、ねじ穴４５０１を有した円筒状の取付台４５０である。取付台４５０の上面４５０３には、三極ガス入り放電管形避雷器４３０の中央リード線４３２が嵌め込まれるための受け溝４５０２が形成されている。取付台４５０のねじ穴４５０１へアースねじ３３の螺合よりねじ止めされるので、アース接続は簡単にかつ確実になされる。
【００４３】
なお、取付台４５０近傍には、三極のガス入り放電管形避雷器４３０の中央リード線４３２が確実にねじ止めされるよう、形成された受け溝４５０２と略同高の誘導片４５７がベース部材４５上に形成されるとともに、リード線４３２の移動防止のため、誘導片４５７を挟んだ両側に防止片４５８も形成されている。
【００４４】
カバー部材４６は、アースねじ３３を挿通させるアース孔４６０を軸方向に有している。アース孔４６０は、取付台４５０のねじ穴４５０１と同一軸上に形成されている。
【００４５】
このように構成される保安器ユニット４０の組立工程について説明する。なお、以下の手順は一例であり、その他の手順で行ってもよいことは言うまでもない。
【００４６】
まず、各々ＰＴＣ素子４２０のリード線４２１を、スペーサ４４の挿通孔４４０に挿通させる。
【００４７】
つぎに、ＰＴＣ素子４２０が通信線上に挿入されるよう、接続部材４７、４８と接続させる。
【００４８】
すなわち、各々ＰＴＣ素子４２０の一方のリード線４２１を内線側のスリット端子４７１のＵ字溝４７１０に挟み込んで接続させる。
【００４９】
さらに、各々ＰＴＣ素子４２０の他方のリード線４２２を外線側のスリット端子４８１のＵ字溝４８１０に挟み込んで接続させる。図５に示すように、スペーサ４４の背面４４１側から見ると、４本のリード線４２１、４２２は４つのスリット端子４７１、４８１のＵ字溝４７１０、４８１０に確実に挟み込まれている。
【００５０】
また、各々ＰＴＣ素子４２０を挟んで対の通信線５０、６０の内線側の接続部材４７と外線側の接続部材４８とは対向配置されている。
【００５１】
次に、上部に垂設された外線側の他方スリット端子４８２のＵ字溝４８２０に、三極のガス入り放電管形避雷器４３０の両端リード線４３１が挟み込まれる。
【００５２】
ＰＴＣ素子４２０のリード線４２１、４２２および三極のガス入り放電管形避雷器４３０の両端リード線４３１が各スリット端子４７１、４８１、４８２に挟まれた状態から、スペーサ４４の受穴４４５とベース部材４５の突起４５５とが嵌合され、ＰＴＣ素子４２０のリード線４２１、４２２の先端がベース部材４５上に形成された係止穴４５１０に挿入されて、係止される。
【００５３】
同時に、スペーサ４４の係合突部４４６とベース部材４５の係合穴部４５６とが係合される。
【００５４】
このとき、三極のガス入り放電管形避雷器４３０の中央リード線４３２が誘導片４５７を介して、取付台４５０の受け溝４５０２に嵌め込まれる。
【００５５】
そして、アースねじ３３をベース部材４５の取付台４５０のねじ穴４５０１に挿通させると、アースねじ３３のねじ部３３２はベース部材４５を貫通する。これにより三極のガス入り放電管形避雷器４３０の中央リード線４３２がアースねじ３３に接触し、アース接続される。
【００５６】
次に、カバー部材４６を上記ベース部材４５に装着する。カバー部材４６の下方側面４６９に形成された側片部４６９１とベース部材４５の下方側面４５９に形成された側片部４５９１とが嵌め込まれることで、カバー部材４６の装着が完了する。これによりアースねじ３３はカバー部材４６のアース孔４６０に引き止められる。
【００５７】
以上により保安回路Ｐが完成し、同時に保安器ユニット４０の組立が完了する。
【００５８】
なお、スリット端子の方向や形成される個数は、スリット端子を用いて保安回路が構成されれば、上記実施の形態に限られない。
【００５９】
次に、本発明の保安器ユニット４０に対の通信線５０、６０を接続し、加入者保安器用キャビネット１００に収納される場合を説明する。
【００６０】
本発明の保安器ユニット４０を収納する加入者保安器用キャビネット１００は、キャビネット本体１５０とキャビネット本体１５０を覆うカバー体１５１とが備えられ、対の内線側通信線５０および対の外線側通信線６０を接続する保安器ユニット４０の収納空間と、光ケーブル通信線１０の成端手段２０を取り付ける成端ユニット７０の収納空間とを仕切るホルダ体１６０がキャビネット本体１５０から着脱自在に設けられている。
【００６１】
ホルダ体１６０の内側に成端ユニット７０が収納され、ホルダ体１６０の外側には保安器ユニット３０が収納される概略構成である。
【００６２】
加入者保安器用キャビネット１００は、キャビネット本体１５０と、このキャビネット本体１５０に装着されるカバー体１５１とで覆われる内部に各種部品を収納可能としている。素材としては、樹脂製のものが適用される。
【００６３】
キャビネット本体１５０は、加入者宅の壁面に対抗する面として後面部１５２と、この後面部１５２を囲む下面部１５３と側面部１５４を有している。また、下面部１５３の下方には一体に延伸した固定部１５５も有している。キャビネット本体１５０は、キャビネット本体１５０に収納されるホルダ体１６０を備えている。
後面部１５２の内側には、略中央にホルダ体１６０と着脱自在に嵌合される形状を有する嵌合壁部１５２１と、嵌入穴１５２２とが設けられている。嵌合壁部１５２１は、例えば、略楕円形状を有し、突設されている。また、嵌入穴１５２２は、嵌合壁部１５２１の略中央に位置し、後面部１５２の内側に設けられている。
下面部１５３は、対の内線側通信線５０および対の外線側通信線６０を挿通するメタル挿通溝１５３１が形成され、下面部１５３の両端には光ケーブル通信線３５を挿通する光挿通溝１５３２が形成されている。
側面部１５４の両側には、カバー体１５１を装着するための装着部１５４０が設けられている。
【００６４】
固定部１５５は、固定面１５５１と、固定面１５５１に設けられた固定ねじ孔１５５２を備えている。加入者保安器用キャビネット１００自体を壁面に固定するため、ねじ１５５３で所望の壁面にねじ止め固定される。図中では、３箇所でねじ止め固定されており、加入者保安器用キャビネット１００の取り付けに際しては、これら３箇所のねじ止め以外に外壁に穴を開ける必要はない。
【００６５】
ホルダ体１６０は、箱形状であり、例えば、キャビネット本体１５０と略同形状を有する構成である。素材としては、ポリエチレン製を適用する。またホルダ体１６０は、蓋体１６２と、キャビネット本体１５０に収納されるトレイ１６１とを有する。
【００６６】
蓋体１６２は、蓋体１６２の片端に設けられたヒンジ部１６７によりトレイ１６１に開閉自在に設けられる。また、蓋体１６２は、蓋体１６２の中央両端に設けられたプレート穴部１６４と、蓋体１６２の中央に設けられ、キャビネット本体１５０の嵌合壁部１５２１と略同形状を有する嵌合穴部１６５とトレイ１６１と嵌め合うために設けられたくい込み部１６８から構成される。
【００６７】
取付部１６３は、蓋体１６２の略中央に設けられており、保安器ユニット４０の２回線分が配置できる広さを有する。
【００６８】
保安器ユニット４０をキャビネット本体１５０に取り付ける場合には、図１０および図１１に示すように、取付部１６３と保安器ユニット４０との間の接地板３１を介して取り付けられる。
【００６９】
接地板３１は、保安器ユニット４０を１回線分または２回線分を取り付けられる構造となっており、アース穴３３０にアース端子３６を挿通させることによりアース配線３９が接続され、大地アースに接続されている。また、接地板３１には、雌ねじ部３１０が２箇所設けられており、保安器ユニット４０を並設してアースねじ３３でねじ止めすることができる。接地板３１は、接地板３１に設けられた雌嵌入部３２０とキャビネット本体１５０の嵌入穴１５２２とをねじ３２でねじ止めされることで固定される。したがって、保安器ユニット４０は、ベース部材４５を貫通したアースねじ３３のねじ部３３２が、接地板３１の雌ねじ部３１０にねじ止めされ、取付ねじ３２を雌嵌入部３２０にねじ止めされることによって、取り付けと同時に接地することができる。
【００７０】
なお、図中では、１回線分の保安器ユニットを２個併設して２回線分としているが、これに限定するものではなく、２回線分が１ユニットとなった保安器ユニットを取り付けても良い。
【００７１】
トレイ１６１は、その内部に、光ケーブル通信線１０の成端手段２０を取り付けるための支持部１１０と、光ケーブル通信線１０の余長部分１１を巻き取る巻き取り部１２０と、光ケーブル通信線１０を誘導する誘導部１３０と、光ケーブル通信線１０を挿通し位置決めするケーブル挿通部１４０とが設けられている。また、トレイ１６１は、その側面部の片端に、蓋体１６２を閉めたときに嵌め合う突部１６９が設けられている。
【００７２】
支持部１１０は、トレイ１６１の中程の側面寄りで、両側に配置されており、どちらかを選択することができる。
【００７３】
１つの支持部１１０は、ガイド溝１１１とガイド溝１１１の片端に突起部１１２が設けられて構成されている。ガイド溝１１１には、成端手段２０のアダプタ２３のプレート部２４が差し込まれ保持固定される。アダプタ２３には、コネクタ２１、２２が装着され、外線側から引き込まれる光ケーブル通信線１０と加入者側に引き込まれる光ケーブル通信線１０とが成端されている。
【００７４】
巻き取り部１２０は、光ケーブル通信線１０がよれや折れ曲がり無く巻回できる構造であり、隔壁１２１と複数の突起とを備えている。
【００７５】
隔壁１２１は、光ケーブル通信線１０が何周回と巻回できるよう、光ケーブル通信線１０の曲径半径を維持できるほどの一定間隔を有し、内周側から外周側へ向かって何重かに設けられた構成である。
【００７６】
複数の突起は、収納される光ケーブル通信線１０がトレイ１６１の内部から逸脱しないよう設けられた突起であり、トレイ１６１の外周側から水平方向に立設され内周側に向かって設けられた第１突起１２２と、トレイ１６１の内周側から水平方向に立設され外周側に向かって設けられた第２突起１２３とから構成される。第１突起１２２は、トレイ１６１の側面１６６および隔壁１２１に設けられ、第２突起１２３は誘導部１３０に設けられる。
【００７７】
誘導部１３０は、トレイ１６１の内部で巻回される光ケーブル通信線１０のねじれやよれを防止し、効率よく収納するため設けられたガイド用突片１３１であり、トレイ１６１の中央に突設され、例えば、略楕円形状を有する。図中では、誘導部１３０はトレイ１６１の中央に上下２つ並設されている。
【００７８】
ケーブル挿通部１４０は、光ケーブル通信線１０の外線と内線とを挿通し位置決めするためのものであり、トレイ１６１の下方に左右２箇所に設けられている。ケーブル挿通部１４０は、挿通基部１４１と押さえ部材１４２と連結部１４３とから構成され、挿通基部１４１と押さえ部材１４２とは連結部１４３によって連結され、挿通基部１４１の上部に押さえ部材１４２が嵌合されて光ケーブル通信線１０が位置決めされる概略構成である。
【００７９】
挿通基部１４１は、トレイ１６１の側面１６６に延設され、例えば弾性と可撓性を有する櫛歯状を適用する。挿通基部１４１には光ケーブル通信線１０を挿通するための挿通溝１４１１が形成され、挿通溝１４１１の壁面１４１５が光ケーブル通信線１０の軸方向にわたって櫛歯状に形成される。図中では、挿通溝１４１１が２本形成される。光ケーブル通信線１０は複数挿通可能とされる。また挿通基部１４１には、挿通溝１４１１と挿通溝１４１１との間に逃げ溝１４１２が形成される。挿通溝１４１１に異径の光ケーブル通信線１０を挿通しても、逃げ溝１４１２が撓むことにより、光ケーブル通信線１０は確実に位置決めされる。さらに挿通基部１４１には、水平方向に割溝１４１３が形成されている。割溝１４１３は異径の光ケーブル通信線１０を挿通し易くさせ、また複数の光ケーブル通信線１０を挿通させても、挿通基部１４１１の内部でその変形に対応できるよう設けられたものである。これにより、異径の光ケーブル通信線１０は挿通可能とされる。挿通基部１４１の両端中央に突起テーパー面を有した抜止突起１４１４が形成される。
【００８０】
押さえ部材１４２は、例えば弾性と可撓性を有する櫛歯形のキャップ形状を適用する。押さえ部材１４２は、例えばコ字形状を有する。押さえ部材１４２は、光ケーブル通信線１０の軸方向に挿通溝係入突条１４２１が形成される。また、押さえ部材１４２の両壁面１４２５には、水平方向に割溝係入突条１４２３が形成されている。さらに、押さえ部材１４２の両端中央には、抜止テーパー面を有した抜け止め受穴１４２４が形成されている。
【００８１】
押さえ部材１４２を挿通基部１４１の上部に嵌め合わせた場合には、挿通溝係入突条１４２１が挿通溝１４１１に嵌め合う。割溝１４１３が割溝係入突条１２３と嵌合され、突起テーパー面と抜止テーパー面とが接触しながら抜止突起１４１４が抜止受穴１４２４に係止される
【００８２】
光ケーブル通信線１０を挿通溝１４１１に挿通させ、押さえ部材１４２を挿通基部１４１の上部に嵌め合わせた場合には、挿通溝１４１１と挿通溝係入突条１４２１とには、光ケーブル通信線１０の径より大なる挿通空間が形成される。これにより、光ケーブル通信線１０を複数挿通させることができる。
【００８３】
同時に、割溝１４１３と割溝係入突条１４２３とが嵌合されるとともに、押さえ部材１４２の付勢力を利用して、抜止突起１４１４が抜止受穴１４２４に係止される。
【００８４】
このように構成された加入者保安器用キャビネット１００を用いて、保安器ユニット４０と光ケーブル通信線１０の成端処理をそれぞれ１回線分収容させる場合の取り付け方法について説明する。なお、以下の手順は一例であり、その他の手順で行ってもよいことは言うまでもない。
【００８５】
まず、キャビネット本体１５０を、固定面１５５１の固定ねじ孔１５５２を介してねじ１５５３で壁面にねじ止め固定する。
【００８６】
次に、ホルダ体１６０をキャビネット本体１５０に嵌め込む。このとき、トレイ１６１の誘導部１３０がキャビネット本体１５０の嵌合壁部１５２１と嵌合し、トレイ１６１のケーブル挿通部１４０が光挿通溝１５３２と嵌め合わされる。
【００８７】
次に、ホルダ体１６０の蓋体１６２を開け、トレイ１６１の内部における成端ユニット７０の取り付けを行う。
【００８８】
一方の光ケーブル通信線１０をケーブル挿通部１４０の挿通基部１４１の挿通溝１４１１に通した後、押さえ部材１４２を挿通基部１４１の上部に嵌合させ、光ケーブル通信線１０の位置決めと抜け止めを行う。
【００８９】
次に、光ケーブル通信線１０の余長部分１１を巻き取り部１２０に巻回する。巻き取り部１２０は、隔壁１２１と第１および第２突起１２２、１２３によって適度なスペースが確保されているため、そのスペースに光ケーブル通信線１０の余長部分１１を落とし込むように巻回する。また誘導部１３０が、光ケーブル通信線１０の巻回をガイドし、よれやねじれを防止する。これにより、余長部分１１に無理な力を加えることなく巻回処理が行われる。
【００９０】
次に、光ケーブル通信線１０の余長部分１１の端部をコネクタ２１側に装着する。そして、コネクタ２２側には、他方の光ケーブル通信線１０の一端を装着し、他端は上述と同様に残ったケーブル挿通部１４０から外部に引き出される。そして、これらコネクタ２１、２２をアダプタ２３に装着し、光ケーブル通信線１０の成端を行う。そして、アダプタ２３のプレート部２４を支持部１１０のガイド溝１１１に差し込む。これによりアダプタ２３の固定が完了する。
【００９１】
蓋体１６２を閉めると、アダプタ２３のプレート部２４が、蓋体１６２のプレート穴部１６４と嵌め合わされ、トレイ１６１の誘導部１３０と蓋体１６２の嵌合穴部１６５とが合致する。
【００９２】
蓋体１６２に、接地板３１を取り付ける。接地板３１は、雌嵌入部３２０とキャビネット本体１５０の嵌入穴１５２２とをねじ３２でねじ止めすることより固定する。
【００９３】
同時に、保安器ユニット４０のカバー部材４６に設けられたアース孔４６０にアースねじ３３を挿入し、接地板３１の雌ねじ部３１０へねじ止めする。このとき、ベース部材４５の取付台４５０には、ガス入り三極避雷器４３０の中央リード線４３２が確実にねじ止めされる。
【００９４】
対の内線側通信線５０および対の外線側通信線６０を保安器ユニット４０の端子３４、３５に接続し、接地板３１の中央のアース穴３３０にアース端子３６を取り付ける。対の内線側通信線５０、対の外線側通信線６０およびアース端子３６の配線３９は、キャビネット本体１５０のメタル挿通溝１５３１に引き込まれる。これにより、成端ユニット７０と保安器ユニット４０との取り付けが完了する。
【００９５】
次に、カバー体１５１をキャビネット本体１５０に装着する。装着部１５４０では、カバー体１５１のカバー側面部１５１１がキャビネット本体１５０の上部から側面部１５４にスライドして保持されるとともに、側面部１５４とこの側面部１５４の下方両端に設けられた側片部１５４２との間隙にカバー側面部１５１１が嵌め込まれることで、カバー体１５１の装着が完了する。これにより加入者保安器用キャビネット１００の取り付けが完了する。
【００９６】
【本発明の効果】
以上のように、本発明の保安器ユニットは、プリント配線板を使用することなく容易にかつ確実に保安器回路を構成できるという優れた効果を有する。
【００９７】
また、スリット端子が保安回路を構成する接続部材になり、カバー部材に設けられたアース孔を介してアース接続されることから、部品点数が減少し、保安器ユニットの一層の小型化が図れるという優れた効果も有する。
【００９８】
さらに、簡単な組立工程で保安器ユニットが完成するため、大量生産に限られず、少量生産にも対応可能であり、コストもかからない。
【００９９】
鉛が含有された半田を使用することなく保安回路が構成されるため、環境の向上が図れる。
【０１００】
保安器ユニットと光ケーブル通信線の成端処理との取り付けを一体化して行うことができ、収納効率の向上が図れ、外観上の美観の向上も図れるという優れた効果も有する。
【０１０１】
さらに、本発明の保安器ユニットが収納された加入者保安器用キャビネットを取り付ける際にも、外壁に開ける穴の数が少なくできるという効果も有する。
【図面の簡単な説明】
【図１】  実施の形態の分解斜視図である。
【図２】  実施の形態の組立工程図である。
【図３】  実施の形態の組立工程図である。
【図４】  実施の形態の組立完成図である。
【図５】  図２の場合においてＡ方向から見た下面図である。
【図６】  図４の場合におけるａ―ａ線断面図である。
【図７】  図４の場合におけるｂ−ｂ線断面図である。
【図８】  図４の場合においてアースねじを取り付けた場合のｃ−ｃ線断面図である。
【図９】  実施の形態の回路図である。
【図１０】実施の形態の保安器ユニットをキャビネットに組み込んだ場合の分解斜視図である。
【図１１】実施の形態の保安器ユニットをキャビネットに組み込んだ正面図である。
【符号の説明】
４０            保安器ユニット
４２            非直線抵抗素子
４２０          ＰＴＣ素子
４２１、４２２  リード線
４３            避雷素子
４３０          ガス入り三極避雷器
４３１          両端リード線
４３２          中央リード線
４３３          端部電極
４３４          短絡板
４３５          絶縁フィルム
４４            スペーサ
４４０          挿通孔
４４１          背面
４４５          受穴
４４６          係合突部
４５            ベース部材
４５０          取付台
４５０１        ねじ穴
４５０２        受け溝
４５０３        上面
４５１          案内溝
４５１０        係止穴
４５２          ストッパー
４５３          防止壁
４５４          突片
４５５          突起
４５６          係合受部
４５７          誘導片
４５８          防止片
４５９          側面
４５９１        側片部
４６            カバー部材
４６０          アース孔
４６９          側面
４７、４８      接続部材
４７０、４８０  ターミナル部
４７１、４８１、４８２        スリット端子
４７１０、４８１０、４８２０  Ｕ字溝
１００          加入者保安器用キャビネット
１５０          キャビネット本体
１５２          後面部
１５２１        嵌合壁部
１５２２        嵌入穴
１５３          下面部
１５３１      メタル挿通溝
１５３２      光挿通溝
１５４        側面部
１５４０      装着部
１５４２      側片部
１５５        固定部
１５５１      固定面
１５５２      固定ねじ孔
１５５３      ねじ
１６０        ホルダ体
１６１        トレイ
１６２        蓋体
１６３        取付部
１６４        プレート穴部
１６５        嵌合穴部
１６６        側面
１６７        ヒンジ部
１６８        くい込み部
１６９        突部
１１０        支持部
１１１        ガイド溝
１１２        突起部
１２０        巻き取り部
１２１        隔壁
１２２        第１突起
１２３        第２突起
１３０        誘導部
１３１        ガイド用突起
１４０        ケーブル挿通部
１４１        挿通基部
１４１１      挿通溝
１４１２      逃げ溝
１４１３      割溝
１４１４      抜止突起
１４１５      壁面
１４２        押さえ部材
１４２１      挿通溝係入突条
１４２３      割溝係入突条
１４２４      抜止受穴
１４２５      壁面
１４３        連結部
１５１        カバー体
１５１１      カバー側面部
３１          接地板
３１０        雌ねじ部
３２０        雌嵌入部
３２          取付ねじ
３３          アースねじ
３３０        アース穴
３３１        ねじ頭
３３２        ねじ部
３４、３５    端子
１０          光ケーブル線
３６          アース端子
３９          配線
５０          対の内線側通信線
６０          対の外線側通信線
【図１】
0003688236.tif 000002
【図２】
0003688236.tif 000003
【図３】
0003688236.tif 000004
【図４】
0003688236.tif 000005
【図５】
0003688236.tif 000006
【図６】
0003688236.tif 000007
【図７】
0003688236.tif 000008
【図８】
0003688236.tif 000009
【図９】
0003688236.tif 000010
【図１０】
0003688236.tif 000011
【図１１】
0003688236.tif 000012